(57)【要約】【課題】  例えば、パンツ、靴下、ハンカチなど衣料品などの商品を店頭に陳列、展示するための吊り下げフック機能付きの包装用台紙を提供する。【解決手段】折り曲げ線を介して連続する第１の台紙本体と第２の台紙本体を持ち、第１及び第２の台紙本体の上部に連通する閉じられた略Ｕ型乃至略Ｃ型の切欠き部を形成し、この切欠き部によって囲まれ、かつ前記折り曲げ線を中心軸とするフック突片を形成するとともに、このフック突片の基部に位置する切欠き部の両端部には前記折り曲げ線を介して対称形の略Ｕ状の縁部が形成されるとともに、少なくとも何れか一方の台紙本体の上端部に他の折り曲げ線を介して突出する１つ以上のフック補強片を形成し、フック補強片は開口した切欠きを形成し、この切欠きは前記他の折り曲げ線を介して一方の台紙本体の切欠き部の前記縁部と対称形に形成され、更に第１及び第２の台紙本体に商品包装部を形成して構成する【選択図】        図１
0003111059.tif 000002
【実用新案登録請求の範囲】
【請求項１】
折り曲げ線を介して連続する第１の台紙本体と第２の台紙本体を持ち、第１及び第２の台紙本体の上部に連通する閉じられた略Ｕ型乃至略Ｃ型の切欠き部を形成し、この切欠き部によって囲まれ、かつ前記折り曲げ線を中心軸とするフック突片を形成するとともに、このフック突片の基部に位置する切欠き部の両端部には前記折り曲げ線を介して対称形の略Ｕ状の縁部が形成されるとともに、少なくとも何れか一方の台紙本体の上端部に他の折り曲げ線を介して突出する１つ以上のフック補強片を形成し、フック補強片は開口した切欠きを形成し、この切欠きは前記他の折り曲げ線を介して一方の台紙本体の切欠き部の前記縁部と対称形に形成され、更に第１及び第２の台紙本体に商品包装部を形成してなる吊り下げフック機能付き包装用台紙。
【請求項２】
第１台紙本体及び第２の台紙本体はそれぞれ上方に縮小する略おむすび型乃至略三角形に形成してなる請求項１記載の吊り下げフック機能付き包装用台紙。
【請求項３】
商品包装部が、第１及び第２の台紙本体と、何れか一方の台紙本体に形成された横方向に伸長しかつ末端に係止片を有する帯部及び前記係止片が係合する切り込み部とからなる請求項１又は２記載の吊り下げフック機能付き包装用台紙。
【請求項４】
第１及び第２の台紙本体の少なくとも一方の下端部に、鋸状の歯を形成する縁部を持つ縁取り部を設けてなる請求項１乃至３記載の吊り下げフック機能付き包装用台紙。
【考案の詳細な説明】
【技術分野】
【０００１】
本考案は、例えば、パンツ、靴下、ハンカチなど衣料品などの商品を店頭に陳列、展示するための包装用台紙に関するものである。
【背景技術】
【０００２】
下着等の衣料品等の商品を、デパート、スーパーマーケット、衣料品店などの店頭に陳列、展示するに当たり、陳列棚に多数吊り下げることが行われている。
【０００３】
この吊り下げ方式の陳列は、陳列スペースの節約や商品形態の保持に役立つのみならず、店員の商品取り扱いや顧客の商品選択などにおいても便利である。
【０００４】
吊り下げ方式の陳列においては、製造販売業者や卸売業者から商品を出荷する際、そのまま陳列できるような商品包装乃至商品体裁にして置き、店頭において改めて手を加える必要がないようにするのが通常である。
【０００５】
そのように商品体裁を整える方法では代表的なものとして、例えば、商品を透明な薄いプラスチック製の包装袋に入れ、その包装袋の上端の耳の部分にプラスチック製フックを取り付ける方法がある。
【０００６】
そのような商品吊り下げ用フックが幾つか提案されている（例えば、特許文献１，２参照。）。
【特許文献１】登録意匠第１１２８１００号公報
【特許文献２】登録意匠第１１２８１０１号公報
【考案の開示】
【考案が解決しようとする課題】
【０００７】
特許文献１の商品吊り下げ用フックは、プラスチックで一体的に全体として薄板状に、かつ中央の折り目を介して左右対称の薄板に形成され、略中央部には左右に跨がる左右対称で、かつ全体として略Ｃ型形状の切り欠き部を設け、切り欠き部に囲まれた部分に２つの突片を対称に形成している。一方の薄板の端の位置には突起部が形成され、他方の薄板にはこの突起部と対称の端の位置には突起部が嵌合するための係合穴が形成されている。      
【０００８】
そして、中央の折り目から内側に折り曲げ左右の薄板を折り畳むと、前記突起部が係合穴が嵌合して左右の薄板は固定されるとともに、前記切り欠き部も重なり合うと、略Ｃ型の２つの湾曲部が合わさることによって、そこに鉤状のフックを形成するようになっている。
【０００９】
なお、左右の薄板を折り畳む前に、商品を透明な薄いプラスチック製の包装袋に入れ、包装袋の耳の部分に開けられている穴に前記突起部を通しておく。従って、左右の薄板を折り畳むと、包装袋は脱落不能にフックに取り付けられるのである。
【００１０】
次に、非特許文献２の商品吊り下げ用フックも、薄板の形状をやや異なるものの、基本的な構造、機能は上記の非特許文献１のものとほぼ同様である。
【００１１】
しかし、このような商品陳列方法は、商品を包装する作業とその資材を必要とする上に、フック取付け作業とその資材も必要とする。
【００１２】
これに対し、商品を取り付ける紙製の包装用台紙そのものに、フック機能を兼ねさせるという簡便法も試みられている。
【００１３】
フック機能を持つ包装用台紙を使用する代表例を、図６に示す。
【００１４】
この包装用台紙１０は、内側（図６の手前方向）への折り曲げ線２０Ｂを介して上下対称の第１の台紙本体２０と第２の台紙本体２０Ａからなり、略中央部には第１の台紙本体２０と第２の台紙本体２０Ａに跨がる上下に対称で、かつ全体として略Ｃ型形状の切り欠き部３０を設け、切り欠き部３０に囲まれた部分に２つの突片４０，４０を対称に形成している。
【００１５】
第１の台紙本体２０と第２の台紙本体２０Ａのそれぞれ中央部から上下の端寄りの対称位置に、略コ型の切り込み部５０，５０Ａを設けることによって、外側（図６の後ろ方向）への折り曲げ線５１，５１Ａを介して２つのフラップ部５２，５２Ａを対称に形成している。
【００１６】
そして、折り曲げ線２０Ｂで第１の台紙本体２０と第２の台紙本体２０Ａを折り畳むと、７図に示すように、２つの突片４０が重なるフック４５を構成するのである。
【００１７】
２つのフラップ片５２，５２Ａをそれぞれ折り曲げ線５１，５１Ａで外側に折り曲げることによって、背中合わせに開く２つの掛け止めスリット５５に、商品Ｇを通し、掛け止めるものである。
【００１８】
この包装用台紙１０は、前述のプラスチック製のものに比べて、取り扱いが簡単であり、商品名やサイズ・商品特徴・取り扱い注意事項、更には製造販売業者名などを、鮮明かつ色彩豊かに、容易に印刷できる点で意匠的にも優れ、また廉価に提供できると言える。      
【００１９】
しかしながら、この包装用台紙１０は、フック４５が２つの紙製の突片４０，４０を重ねることによって形成され、かつ片持ち梁状に折り曲げ力が発生するので強度的に劣り、長時間の使用や重量的に重い商品に使用すると、破損する危険性が否定できない。
【００２０】
また、この包装用台紙１０は、商品Ｇを掛け止めスリット５５に通しただけの包装状態であるので、輸送や陳列中に商品Ｇが包装用台紙１０から外れたり、商品を簡単に取り替えられるおそれがある。
【００２１】
本考案は、以上のような問題点を解消するためになされたものであり、その目的とするところは、各種の商品に広く使用でき、かつ重量の嵩む商品であっても使用できる強度的に優れたフックを持ち、また確実に商品を保持できることができる包装用台紙を提供することにある。
【課題を解決するための手段】
【００２２】
本考案は、このような目的を達成するため、次のように構成されている。
【００２３】
請求項１に記載の本考案の吊り下げフック機能付き包装用台紙は、折り曲げ線を介して連続する第１の台紙本体と第２の台紙本体を持ち、第１及び第２の台紙本体の上部に連通する閉じられた略Ｕ型乃至略Ｃ型の切欠き部を形成し、この切欠き部によって囲まれ、かつ前記折り曲げ線を中心軸とするフック突片を形成するとともに、このフック突片の基部に位置する切欠き部の両端部には前記折り曲げ線を介して対称形の略Ｕ状の縁部が形成されるとともに、少なくとも何れか一方の台紙本体の上端部に他の折り曲げ線を介して突出する１つ以上のフック補強片を形成し、フック補強片は開口した切欠きを形成し、この切欠きは前記他の折り曲げ線を介して一方の台紙本体の切欠き部の前記縁部と対称形に形成され、更に第１及び第２の台紙本体に商品包装部を形成して構成されている。
【００２４】
また、請求項２に記載の本考案の吊り下げフック機能付き包装用台紙は、第１台紙本体及び第２の台紙本体はそれぞれ上方に縮小する略おむすび型乃至略三角形に形成して構成されている
また、請求項３に記載の本考案の吊り下げフック機能付き包装用台紙は、商品包装部が、第１及び第２の台紙本体と、何れか一方の台紙本体に形成された横方向に伸長しかつ末端に係止片を有する帯部及び前記係止片が係合する切り込み部とからなるように構成されている。
【００２５】
更に、請求項４に記載の吊り下げフック付き機能包装用台紙は、第１及び第２の台紙本体の少なくとも一方の下端部に、鋸状の歯を形成する縁部を持つ縁取り部を設けて構成されている。
【考案の効果】
【００２６】
上記のように、請求項１に記載の本考案の吊り下げフック機能付き包装用台紙は、折り曲げ線を介して連続する第１の台紙本体と第２の台紙本体を持ち、第１及び第２の台紙本体の上部に連通する閉じられた略Ｕ型乃至略Ｃ型の切欠き部を形成し、この切欠き部によって囲まれ、かつ前記折り曲げ線を中心軸とするフック突片を形成するとともに、このフック突片の基部に位置する切欠き部の両端部には前記折り曲げ線を介して対称形の略Ｕ状の縁部が形成されるとともに、少なくとも何れか一方の台紙本体の上端部に他の折り曲げ線を介して突出する１つ以上のフック補強片を形成し、フック補強片は開口した切欠きを形成し、この切欠きは前記他の折り曲げ線を介して一方の台紙本体の切欠き部の前記縁部と対称形に形成されいるため、１つ以上のフック補強片を前記他の折り曲げ線から内側に折り曲げて一方の台紙本体の上部に折り畳み、次に第１の台紙本体と第２の台紙本体を折り曲げ線から内側に折り曲げて重ね合わすと、１つ以上のフック補強片と折り畳まれたフック突片は一つに集合して積層された折り畳み状態を形成して強度の高いフックを構成し、かつこれらの略Ｕ状の縁部が一致して商品の加重に耐える荷重受け部を構成するため、片持ち梁状に折り曲げ力が発生しても、商品の加重に十分耐え、破損することがない強固な吊り下げフックを得ることができる。
【００２７】
また、請求項２に記載の本考案の吊り下げフック機能付き包装用台紙は、第１及び第２の台紙本体はそれぞれ上方に縮小する略おむすび型乃至略三角形に形成するため、これらを折り畳んだ商品の包装状態においても、包装用台紙は上方に縮小する略おむすび型乃至略三角形に形成し包装用台紙の中心軸上の上部にフックを構成するので、このフックで包装用台紙を、左右のバランスが良く、偏らず真っ直ぐに吊り下げ、かつ複数個を整然と並べることができ、商品陳列棚を見栄え良く構成することができる。
【００２８】
また、請求項３に記載の本考案の吊り下げフック機能付き包装用台紙は、商品包装部が、第１及び第２の台紙本体と、何れか一方の台紙本体に形成された横方向に伸長しかつ末端に係止片を有する帯部及び前記係止片が係合する切り込み部とからなるように構成しているので、第１及び第２の台紙本体に商品を載せた状態で、商品を帯部で締めつけ係止片を切り込み部に係合させ、簡単かつ確実に商品を包装することができる。
【００２９】
更に、請求項４に記載の吊り下げフック機能付き包装用台紙は、第１の台紙本体と第２の台紙本体の少なくとも一方の下端部に、鋸状の歯を形成した縁部を持つ縁取り部を設けて構成されているので、鋸状の歯が上向きとなるように縁取り部を外側に折り曲げると、鋸状の歯が包装された商品の組織に柔らかく食い込み、商品を傷めないようにしながら、商品のずれ落ちを防止し、商品を確実に包装用台紙上に保持することができる。
【考案を実施するための最良の形態】
【００３０】
以下、本考案の吊り下げフック機能付き包装用台紙を、実施の形態を図面を用いて説明する。
【００３１】
この包装用台紙１は、一枚の紙からなり、図１に示すように、第１の台紙本体２と第２の台紙本体２Ａを持ち、これらは第１の折り曲げ線３を介して連続している。両台紙本体は、第１の折り曲げ線３を介して略対称の形状で、かつそれぞれ上方に縮小する略おむすび型乃至略２等辺三角形状に形成されている。
【００３２】
そして第１及び第２の台紙本体２，２Ａの上部に連通し、かつ閉じられた略Ｕ型乃至略Ｃ型の切欠き部４を形成し、この切欠き部４によって囲まれ、かつ第１の折り曲げ線３を中心軸とするフック突片５を形成している。このフック突片５は第１の折り曲げ線３を介して左右対称形である。そして、このフック突片５の基部に位置する切欠き部４の両端部には第１の折り曲げ線３を介して対称形の略Ｕ状の縁部４Ａ，４Ｂが形成されている。
【００３３】
また、第１の台紙本体２の上端部に第２の折り曲げ線３Ａ及び第３の折り曲げ線３Ｂを介して突出する２つのフック補強片６，６Ａを形成し、フック補強片６，６Ａは開口した切欠き６Ｂ，６Ｃを形成し、この切欠き６Ｂ，６Ｃは第２及び第３の折り曲げ線３Ａ，３Ｂを介して第１の台紙本体２の閉鎖された切欠き部４の前記縁部４Ａと対称形に形成されている。
【００３４】
以上の構成から、先ずフック補強片６，６Ａを、第２及び第３の折り曲げ線３Ａ，３Ｂで内側に折り曲げて、図２に示すように、一方の台紙本体２の上部に折り畳み、次に第１の台紙本体２と第２の台紙本体２Ａを、第１の折り曲げ線３で内側に折り曲げて、図３に示すように、重ね合わすと、内側にはフック補強片６，６Ａが折り畳まれ、その外側にはフック補強片６，６Ａをカバーして第１の折り曲げ線３で折り畳まれたフック突片５が積層されると４重に重なることになる。そして、図３に示すように、折り畳まれた包装用台紙は包装用台紙の中心軸上の上部にフックを構成している。
【００３５】
このフック補強片６，６Ａとフック突片５が一つに集合して４重に積層された折り畳み状態を形成して強度の高いフック９を構成し、かつこれらの略Ｕ状の縁部６Ｂ，６Ｃ，４Ａ及び４Ｂが一致してフック９としての商品の加重に耐える荷重受け部を構成するため、紙製であっても商品の加重に十分耐え、破損することがない強固な吊り下げフック９を得ることができるのである。
【００３６】
以上、本考案の包装用台紙１の吊り下げフック機能に係る構成等について説明したが、次に商品の包装機能に係る構成等について説明する。
【００３７】
第１及び第２の台紙本体２，２Ａとともに、商品を保持、包装する主要部となる帯部７が、第１の台紙本体２の側部下方から横方向に伸長している。帯部７には、商品名、規格、特徴、メーカー名等を印刷することができる。
【００３８】
そしてこの帯部７の基部と端部には折り曲げ線７Ｂ，７Ｃを形成するとともに、帯部７の末端に係止片７Ａを形成している。
【００３９】
一方、第１の台紙本体２の反対側の側部下方に前記係止片７Ａを係合する一対の切り込み部８を形成している。この切り込み部８を
そこで先ず、図２に示すように、第１の台紙本体２上部の補強用フック片６，６Ａを図の手前側に折り込み、第１の台紙本体２上に重ね合わす。次に、第２の台紙本体２Ａを図の手前側に折り込み、第１の台紙本体２に重ね合わせ、重ね合わせ状態の第１、第２の台紙本体２，２Ａの上に、商品を載せる。更に、帯部７を折り曲げ線７Ｂで図の手前側に折り込んで第１、第２の台紙本体上２，２Ａの商品上に重ね，更に帯部７の端部を、帯部７で商品を締付けるように引っ張りながら、折り曲げ線７Ｃで帯部７を折り曲げて図の裏側に回り込ませ、帯部７の端末に形成された係止片７Ａを第１の台紙本体２の切り込み部８に係合することによって、簡単かつ確実に、商品を保持、包装することができる。
【００４０】
なお、この切り込み部８はここでは上下一対設けた例を説明しているが、横方向に複数対並べて設け、係止片７Ａを係合する切り込み部８を選択できるようにして、商品の大きさや嵩高の異なるものに対応できるようにするのも好ましい。
【００４１】
図３は、商品の包装状態における包装用台紙１を商品を省略した状態で示しているが、図４は商品Ｇ（２点鎖線）の包装状態を示している。
【００４２】
このような商品Ｇの包装状態において、包装用台紙１の上部に形成された吊り下げフック９を用いて吊り下げ、陳列、展示するものである。
【００４３】
次に、本考案の吊り下げフック機能付き包装用台紙のその他の実施の形態を説明する。      
【００４４】
この包装用台紙１Ａは、一枚の紙からなり、図５に示すように、第２の台紙本体２Ａの下端部に、鋸状の歯を形成する縁部２Ｂを持つ縁取り部２Ｃを設けている。縁取り部２Ｃ以外の構造は、先に説明した包装用台紙１と同じである。
【００４５】
なお、縁取り部２Ｃは、第１の台紙本体２の下端部にも設けて、第２の台紙本体２Ａのものと組み合わせて、２段階の鋸状の歯を上下に形成するようにするのも好ましい。
【００４６】
このように、第２の台紙本体２Ａの下端部に、鋸状の歯を形成した縁部２Ｂを持つ縁取り部２Ｃを設けて構成されているので、鋸状の歯が上向きとなるように縁取り部２Ｃを外側に折り畳むと、台紙本体２Ａ上に載せた商品の鋸状の歯が包装された商品の組織に柔らかく食い込み、商品を傷めないようにしながら、陳列、展示で吊り下げ中に商品のずれ落ちを防止し、商品を確実に包装用台紙上に保持することができる。
【図面の簡単な説明】
【００４７】
【図１】本発明に係る吊り下げフック機能付き包装用台紙の正面説明図である。
【図２】同包装用台紙の補強フック片を折り畳んだ状態を示す説明図である。
【図３】同包装用台紙の帯部を折り畳んだ状態を示す説明図である。
【図４】同包装用台紙で商品を包装した状態を示す説明図である。
【図５】本発明に係る包装用台紙のその他の実施例の正面説明図である。
【図６】従来技術の包装用台紙の説明図である。
【図７】従来技術の包装用台紙で商品を包装した状態を示す説明図である。
【符号の説明】
【００４８】
１，１Ａ  吊り下げフック機能付き包装用台紙
２  第１の台紙本体      ２Ａ  第２の台紙本体
３  第１の折り曲げ線
４  切欠き部
５  フック突片
６，６Ａ  フック補強片
７  帯部                ７Ａ  係止片
８  切り込み部
９  フック
【図１】
0003111059.tif 000003
【図２】
0003111059.tif 000004
【図３】
0003111059.tif 000005
【図４】
0003111059.tif 000006
【図５】
0003111059.tif 000007
【図６】
0003111059.tif 000008
【図７】
0003111059.tif 000009